(57)【要約】【課題】  大当たり発生時に、大入賞部が遊技球を受け入れる動作に今までに無い変化をもたせて、興趣性を高めること。【解決手段】  パチンコ機は、打ち出された遊技球Ｂａが転動落下する遊技盤面を有する遊技盤と、この遊技盤に設けられた始動口に遊技球が入賞することにより抽選を行う第１抽選部と、遊技球を受け入れ可能な大入賞口を有して、第１抽選部の抽選が当選したとき大入賞口に遊技球を受け入れ可能にするアタッカと、大入賞口を開口動作させる開口指令を発する作動制御部と、を備えて大当たり遊技を実行可能であり、アタッカ１７が、立体造型物で形成され、作動制御部の開口指令に基づき大入賞口１７ｃの開口動作を行う開口機能付フィギュアで構成されている。【選択図】      図３
2006296594.tif 000002
【特許請求の範囲】
【請求項１】
打ち出された遊技球が転動落下する遊技盤面を有する遊技盤と、
該遊技盤に設けられた始動口に遊技球が入賞することにより抽選を行う抽選手段と、
前記遊技球を受け入れ可能な大入賞口を有して、該抽選手段の抽選が当選したとき前記大入賞口に前記遊技球を受け入れ可能にする大入賞部と、
前記大入賞口を開口させる開口指令を発する開口指令手段と、
を備えて大当たり遊技を実行可能な遊技機において、
前記大入賞部が、立体造型物で形成され、前記開口指令手段の開口指令に基づき前記大入賞口を開口する開口機能付フィギュアで構成されていることを特徴とする遊技機。
【請求項２】
前記遊技盤の前記開口機能付フィギュアが配置される部分の前記遊技盤面より奥側に退避空間を備え、
前記開口機能付フィギュアが、上部体と、前記上部体の下に配置され、上向きに前記大入賞口を有する下部体とに分割形成され、前記開口指令手段の開口指令に応じて、前記上部体を前記退避空間に退避させ、かつ前記下部体を前記遊技盤面より手前側に突出させることにより前記大入賞口を開口することを特徴とする請求項１に記載の遊技機。
【請求項３】
前記上部体が、前記退避空間に常時退避され、
前記下部体が、前記開口指令手段の開口指令に応じて、手前側に突出されることを特徴とする請求項２に記載の遊技機。
【請求項４】
前記下部体が、常時突出状態にされ、
前記上部体が、前記開口指令手段の開口指令に応じて、前記退避空間に退避されることを特徴とする請求項２に記載の遊技機。
【請求項５】
前記開口機能付フィギュアが、上部体と、前記上部体の下に配置された下部体とに分割形成され、前記開口指令手段の開口指令に応じて、前記下部体を下方に移動させ、かつ手前側に突出させることにより、前記上部体と前記下部体との間に前記大入賞口を形成することを特徴とする請求項１に記載の遊技機。
【請求項６】
前記開口機能付フィギュアが、上部体と、前記上部体の下に配置された下部体とに分割形成され、前記開口指令手段の開口指令に応じて、前記上部体と前記下部体との少なくとも一方を上下方向に相対移動させることで、前記大入賞口を開口することを特徴とする請求項１に記載の遊技機。
【請求項７】
前記遊技盤の前記開口機能付フィギュアが配置される部分の前記遊技盤面より奥側に凹形状の退避空間を備え、前記開口機能付フィギュアが前記大入賞口を閉じているとき前記退避空間に退避していることを特徴とする請求項６に記載の遊技機。
【請求項８】
前記開口機能付フィギュアが、前記遊技盤面の左右方向に１対に分割形成された左部体及び右部体を有して構成され、前記開口指令手段の開口指令に応じて、前記左部体と前記右部体との少なくとも一方の上方が左右方向に相対移動することで、前記大入賞口を開口することを特徴とする請求項１に記載の遊技機。
【請求項９】
前記開口機能付フィギュアが、キャラクタの形状をしていることを特徴とする請求項１ないし８のいずれか１項に記載の遊技機。
【発明の詳細な説明】
【技術分野】
【０００１】
本発明は、パチンコ機等の遊技機に関し、詳しくは、大当たり発生時に大入賞部が遊技球を受け入れる動作に今までに無い変化をもたせて、興趣性を高めた遊技機に関する。
【背景技術】
【０００２】
一般に、遊技機、例えばパチンコ機は、発射ハンドルの操作によって、遊技盤上に打ち出された遊技球が、遊技盤面上の障害釘や風車等に導かれつつ盤面を転がり落ちて（転動落下して）、各種入賞部に入賞（入球）し、或いは入賞しないで遊技盤下部のアウト口に流入するようになっている。
【０００３】
この場合、各種入賞部の内、始動チャッカと呼ばれる始動入賞部に遊技球が入賞して、大当たりが抽選されたとき、アタッカと呼ばれる大入賞部が開放されて、入賞に対応して多量の遊技球が払い出されるようになっている（特許文献１参照）。
【０００４】
【特許文献１】特開２００３−２３６２１０号公報
【発明の開示】
【発明が解決しようとする課題】
【０００５】
しかし、上記特許文献１に記載されたパチンコ機は、大当たり発生時に、大入賞部の板状の開閉部材が、単に、手前側に傾動して遊技球を受け入れるようになっているだけであるので、他の部分と比較して、大入賞部の部分だけ変化に乏しく、遊技を楽しくするという面で、興趣性が低かった。
【０００６】
そこで本発明は、大当たり発生時に、大入賞部が遊技球を受け入れる動作に今までに無い変化をもたせて、興趣性を高めた遊技機を提供することを目的としている。
【課題を解決するための手段】
【０００７】
請求項１に係る本発明（例えば、図１乃至図３、図６乃至図１０参照）は、
打ち出された遊技球（Ｂａ）が転動落下する遊技盤面（７ａ）を有する遊技盤（７）と、
該遊技盤（７）に設けられた始動口（１６）に遊技球（Ｂａ）が入賞することにより抽選を行う抽選手段（３３）と、
前記遊技球（Ｂａ）を受け入れ可能な大入賞口（１７ｃ，１１７ｃ，２１７ｃ，３１７ｃ，４１７ｃ，５１７ｃ）を有して、該抽選手段（３３）の抽選が当選したとき前記大入賞口（１７ｃ，１１７ｃ，２１７ｃ，３１７ｃ，４１７ｃ，５１７ｃ）に前記遊技球（Ｂａ）を受け入れ可能にする大入賞部（１７，１１７，２１７，３１７，４１７，５１７）と、
前記大入賞口（１７ｃ，１１７ｃ，２１７ｃ，３１７ｃ，４１７ｃ，５１７ｃ）を開口させる開口指令を発する開口指令手段（３７）と、
を備えて大当たり遊技を実行可能な遊技機（１）において、
前記大入賞部（１７，１１７，２１７，３１７，４１７，５１７）が、立体造型物で形成され、前記開口指令手段（３７）の開口指令に基づき前記大入賞口（１７ｃ，１１７ｃ，２１７ｃ，３１７ｃ，４１７ｃ，５１７ｃ）を開口する開口機能付フィギュアで構成されていることを特徴とする遊技機（１）である。
【０００８】
請求項２に係る本発明（例えば、図１乃至図３、図６、図７）は、
前記遊技盤（７）の前記開口機能付フィギュアが配置される部分の前記遊技盤面（７ａ）より奥側に退避空間（６８）を備え、
前記開口機能付フィギュアが、上部体（１７ｂ，１１７ｂ，２１７ｂ）と、前記上部体（１７ｂ，１１７ｂ，２１７ｂ）の下に配置され、上向きに前記大入賞口（１７ｃ，１１７ｃ）を有する下部体（１７ａ，１１７ａ，２１７ａ）とに分割形成され、前記開口指令手段（３７）の開口指令に応じて、前記上部体（１７ｂ，１１７ｂ，２１７ｂ）を前記退避空間（６８）に退避させ、かつ前記下部体（１７ａ，１１７ａ，２１７ａ）を前記遊技盤面（７ａ）より手前側に突出させることにより前記大入賞口（１７ｃ，１１７ｃ）を開口することを特徴とする請求項１に記載の遊技機（１）である。
【０００９】
請求項３に係る本発明（例えば、図１乃至図３、図６、図７）は、
前記上部体（１７ｂ，１１７ｂ，２１７ｂ）が、前記退避空間（６８）に常時退避され、
前記下部体（１７ａ，１１７ａ，２１７ａ）が、前記開口指令手段（３７）の開口指令に応じて、手前側に突出されることを特徴とする請求項２に記載の遊技機（１）である。
【００１０】
請求項４に係る本発明（例えば、図１乃至図３、図６、図７）は、
前記下部体（１７ａ，１１７ａ，２１７ａ）が、常時突出状態にされ、
前記上部体（１７ｂ，１１７ｂ，２１７ｂ）が、前記開口指令手段（３７）の開口指令に応じて、前記退避空間（６８）に退避されることを特徴とする請求項２に記載の遊技機（１）である。
【００１１】
請求項５に係る本発明（例えば、図８）は、
前記開口機能付フィギュアが、上部体（３１７ｂ）と、前記上部体（３１７ｂ）の下に配置された下部体（３１７ａ）とに分割形成され、前記開口指令手段（３７）の開口指令に応じて、前記下部体（３１７ａ）を下方に移動させ、かつ手前側に突出させることにより、前記上部体（３１７ｂ）と前記下部体（３１７ａ）との間に前記大入賞口（３１７ｃ）を形成することを特徴とする請求項１に記載の遊技機（１）である。
【００１２】
請求項６に係る本発明（例えば、図９）は、
前記開口機能付フィギュアが、上部体（４１７ｂ）と、前記上部体（４１７ｂ）の下に配置された下部体（４１７ａ）とに分割形成され、前記開口指令手段（３７）の開口指令に応じて、前記上部体（４１７ｂ）と前記下部体（４１７ａ）との少なくとも一方を上下方向に相対移動させることで、前記大入賞口（４１７ｃ）を開口することを特徴とする請求項１に記載の遊技機（１）である。
【００１３】
請求項７に係る本発明（例えば、図３、図８、図９）は、
前記遊技盤（７）の前記開口機能付フィギュアが配置される部分の前記遊技盤面（７ａ）より奥側に凹形状の退避空間（４６８）を備え、前記開口機能付フィギュアが、前記大入賞口を閉じているとき、前記退避空間（４６８）に退避していることを特徴とする請求項６に記載の遊技機（１）である。
【００１４】
請求項８に係る本発明（例えば、図１０）は、
前記開口機能付フィギュアが、前記遊技盤面（７ａ）の左右方向に１対に分割形成された左部体（５１７ａ）及び右部体（５１７ｂ）を有して構成され、前記開口指令手段（３７）の開口指令に応じて、前記左部体（５１７ａ）と前記右部体（５１７ｂ）との少なくとも一方の上方が左右方向に相対移動することで、前記大入賞口（１７ｃ，１１７ｃ，２１７ｃ，３１７ｃ，４１７ｃ，５１７ｃ）を開口することを特徴とする請求項１に記載の遊技機（１）である。
【００１５】
請求項９に係る本発明（例えば、図１乃至図３、図６乃至図１０参照）は、
前記開口機能付フィギュアが、キャラクタの形状をしていることを特徴とする請求項１ないし８のいずれか１項に記載の遊技機（１）である。
【００１６】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１７】
請求項１に係る本発明によると、大入賞部が、立体造型物で形成されて、開口指令手段の開口指令に基づき大入賞口の開口動作を行う開口機能付フィギュアで構成されているので、遊技を楽しむ興趣性を高めることができる。
【００１８】
請求項２に係る本発明によると、開口機能付フィギュアが、開口指令手段の開口指令に応じて、上部体を退避空間に退避させ、かつ下部体を遊技盤面より手前側に突出させることにより大入賞口を開口させるようになっているので、上部体と下部体とが前後立体的に移動して、遊技を楽しむ興趣性を高めることができる。
【００１９】
請求項３に係る本発明によると、上部体が、退避空間に常時退避され、下部体が、開口指令手段の開口指令に応じて、手前側に突出されるようになっているので、下部体が前後立体的に移動して、遊技を楽しむ興趣性を高めることができる。
【００２０】
請求項４に係る発明によると、下部体が、常時突出状態にされ、上部体が、開口指令手段の開口指令に応じて、退避空間に退避されるようになっているので、上部体が、前後立体的に移動して、遊技を楽しむ興趣性を高めることができる。
【００２１】
請求項５に係る発明によると、開口機能付フィギュアが、開口指令手段の開口指令に応じて、下部体を下方に移動させ、かつ手前側に突出させることにより、上部体と下部体との間に大入賞口を形成するようになっているので、下部体が前後上下立体的に移動して、遊技を楽しむ興趣性を高めることができる。
【００２２】
請求項６に係る発明によると、開口機能付フィギュアが、開口指令手段の開口指令に応じて、上部体と下部体との少なくとも一方を上下方向に相対移動させることで、上部体と下部体との間に大入賞口を形成するようになっているので、上部体と下部体との少なくとも一方が上下方向に移動して、遊技を楽しむ興趣性を高めることができる。
【００２３】
請求項７に係る発明によると、開口機能付フィギュアが、開口動作しない際に前記退避空間に退避可能であるので、前後立体的に移動して、遊技を楽しむ興趣性を高めることができる。
【００２４】
請求項８に係る発明によると、開口機能付フィギュアが、開口指令手段の開口指令に応じて、左部体と右部体との少なくとも一方の上方が左右方向に相対移動することで、左部体と右部体との間に大入賞口を形成するようになっているので、遊技を楽しむ興趣性を高めることができる。
【００２５】
請求項９に係る発明によると、開口機能付フィギュアが、キャラクタの形状に形成されているので、遊技を楽しむ興趣性を高めることができる。
【発明を実施するための最良の形態】
【００２６】
以下、本発明に係る遊技機の実施形態としての、遊技場等に設置されるパチンコ機を図１ないし図９に基づいて説明する。
【００２７】
図１は、本発明の実施形態の遊技機におけるパチンコ機の概略正面図である。図２は、図１に示すパチンコ機の遊技盤の部分拡大正面図である。図３は、大入賞部の図である。（ａ）蓋を閉じた大入賞部の外観斜視図である。（ｂ）蓋が開いた大入賞部の外観斜視図である。（ｃ）大入賞部の開閉機構の図である。図４は、図１に示すパチンコ機の制御系を示すブロック図である。図５は、図１に示すパチンコ機の動作を説明するためのフローチャートである。図６は、図３に示す大入賞部とは開閉動作の異なる大入賞部の外観斜視図である。図７は、図３に示す大入賞部とは形状の異なる大入賞部の外観斜視図である。図８は、図３に示す大入賞部とは形状の異なる大入賞部の図である。（ａ）は、大入賞口を閉じた大入賞部の正面図である。（ｂ）は、大入賞口を開いた大入賞部の正面図である。（ｃ）大入賞口の開閉動作を示す側面図である。図９は、図３に示す大入賞部とは形状の異なる大入賞部の図である。（ａ）は、大入賞口を閉じた大入賞部の正面図である。（ｂ）は、大入賞口を開いた大入賞部の正面図である。（ｃ）大入賞口の開閉動作を示す側面図である。図１０は、図３に示す大入賞部とは形状の異なる大入賞部の図である。（ａ）は、大入賞口を閉じた大入賞部の正面図である。（ｂ）は、大入賞口を開いた大入賞部の正面図である。（ｃ）大入賞口の開閉動作を示す正面図である。
【００２８】
なお、後述する遊技盤の遊技盤面には多数の障害釘や複数の風車等が植設されているが、図１、図２においてそれらは便宜上図示を省略している。また、図２において、図１に示すガイドレール２１は便宜上図示省略している。
【００２９】
本パチンコ機１は、発射ハンドル９の操作による不図示の発射装置の作動で遊技球（所謂パチンコ玉）を遊技盤７の遊技盤面７ａに向かって打ち出しつつ遊技を行うようになっている。パチンコ機１は、所謂確率変動等の大当たりが発生した状態でアタッカ（大入賞口）１７に入賞（入球）した遊技球に対応する数の遊技球を払い出すように構成されている。確率変動当たり（「確変当たり）とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００３０】
図１において、パチンコ機１は、開口を有する枠体状の筐体２と、この筐体２にヒンジ２６ａ，２６ｂを介して開閉可能に装着された前扉３とを有している。前扉３の前面には、不図示の透明ガラスを有するガラス枠５が開閉可能に取り付けられている。透明ガラスの奥側には、遊技盤７が配置されている。前扉３における遊技盤７の左右上方には演出用照明装置２３が配置されている。前扉３における遊技盤７の下方左部にはスピーカ（図示せず）を有する放音装置８が配置されている。また、ガラス枠５における右側部には、前扉３を筐体２側に施錠又は解放するための施錠装置４が配置されている。なお、筐体２及び前扉３等からパチンコ機本体１Ａが構成されている。
【００３１】
前扉３における遊技盤７の下方には、上皿１３が設けられている。上皿１３の左上部には、賞球及び貸球を含む遊技球が供給される球供給口１８が設けられている。上皿１３における右上部壁面には、球貸ボタン１４ａ及びプリペイドカード返却ボタン１４ｂが設けられている。
【００３２】
また、前扉３における上皿１３の下方には下皿１５が設けられている。この下皿１５の右部には、不図示の球発射装置を操作して遊技球を遊技盤面７ａに向けて打ち出すための発射ハンドル９が設けられている。さらに、下皿１５の球収容部１５ａには、上皿１３からオーバーフローした遊技球が放出される球放出口１９が形成されている。下皿１５の左部には灰皿２４が設けられている。
【００３３】
遊技盤７の外周近くには、発射ハンドル９の操作で発射された遊技球を遊技盤７の遊技盤面７ａに導くガイドレール２１が設けられている。遊技盤７の下部には、アウト口２２が設けられている。また、本パチンコ機１には、遊技中に遊技盤面７ａに入賞することなく落下してアウト口２２に入り込んだ遊技球をパチンコ機背面側に導く不図示のアウト球通路が設けられている。
【００３４】
遊技盤７の遊技盤面７ａには、図１及び図２に示すように、略中央部にセンター役物（ユニット役物）１２が配設されている。このセンター役物１２の右上には、アタッカ（大入賞部）１７が設けられている。さらに、センター役物１２の下方には、大当たり抽選に寄与しない一般の入賞が行われる入賞口２０，３０が配設されている。センター役物１２の下方には、始動チャッカ（始動口）１６が配設されている。センター役物１２の中央部には、開口から露出するように図柄表示装置（図柄表示部）４７が配置されている。
【００３５】
始動チャッカ１６は、後述の第１抽選手段３３による大当たり抽選実行の契機となり得る入賞が行われる役物である。アタッカ１７は、大当たり発生時に開放され、遊技盤７の遊技盤面７ａに打ち出された遊技球Ｂａを受け入れる役物である。アタッカ１７は、大当たり発生中、１回の開放で１０個の入賞を完了した時点で閉じ、当該開閉動作を１５回繰り返すようになっている。なお、これらの入賞数並びに開閉動作の回数は、１０回や１５回に限定されることはなく、必要に応じて適宜設定され得るものである。
【００３６】
アタッカ１７は、図３に示すように、蓋（上部体）１７ｂと、蓋１７ｂの下に配置され、上向きに大入賞口１７を有する箱（下部体）１７ａとに分割形成されて、後述する作動制御部（図４参照、開口指令手段）３７の駆動信号（開口指令）に応じて、開閉機構６１が蓋１７ｂを退避空間６８に退避させ、かつ箱１７ａを遊技盤面７ａより前方（遊技者の手前側）に突出させることにより大入賞口１７を開口させるようになっている。箱１７ａには、入賞した遊技球Ｂａが排出される排出口１７ｄが形成されている。
【００３７】
開閉機構６１は、箱１７ａの背後に設けられて後方に延長した上部延長部材６２と、蓋１７ｂの背後に設けられて後方に延長した下部延長部材６３と、上部延長部材６２と下部延長部材６３とを連結する連結リンク６４などで構成されている。上部延長部材６２、下部延長部材６３は、水平かつ互いに平行にローラ６５，６５，６６に支持されている。また、箱１７ａもローラ６７に支持されている。連結リンク６４の中間部分は、固定の支持軸６７に回転自在に設けられている。連結リンク６４の両端には、長孔６４ａが形成されている。長孔６４ａは、上部、下部延長部材６２，６３に突設してある連結軸６２ａ，６３ａに係合している。連結リンク６４は、図４に示すアタッカ開閉ソレノイド５４によって実線の位置と破線との位置に回転するようになっている。遊技盤７の遊技盤面７ａより奥側には、アタッカ１７の箱１７ａの後ろ半分と蓋１７ｂ全体が進入できるだけの退避空間６８が形成されている。
【００３８】
アタッカ１７の排出口１７ｄの下方には、排出口１７ｄから排出された遊技球の落下を案内する落下案内通路５１（図２参照）が設けられている。この落下案内通路５１は、後述する回転ローラ５３の外周に沿って、断面ほぼ半円状、あるいは断面Ｕ字状に形成されている。落下案内通路５１は、遊技盤７の後方にへこんで形成されて、アウト口２２に入賞した遊技球が案内される不図示のアウト球通路に接続されている。排出口１７ｄの下流側近くには、アタッカ１７から遊技球が流出することを検知するアタッカ入賞検知センサ５７が設けられている。
【００３９】
落下案内通路５１内には、回転自在なフィギュア５２及び回転ローラ５３が設けられている。フィギュア５２は、キャラクタの形状に形成されて、遊技性を高めるようになっている。回転ローラ５３の外周には、遊技球の落下を案内する螺旋溝５３ａが複数本形成されている。フィギャア５２と回転ローラ５３は、図４に示す遊技体回転モータ５５によって、上下方向を向いた軸５６を中心に回転するようになっている。
【００４０】
遊技体回転モータ５５は、パチンコ機１に電源を入れたときから、回転を継続して、フィギャア５２と回転ローラ５３を常時回転させ、遊技性を高めるようにしている。なお、遊技体回転モータ５５は、遊技者が遊技を開始したときから、回転を継続するようになっていてもよいし、あるいは、大当たりが発生したときに回転して、フィギャア５２と回転ローラ５３を回転させ、遊技者に大当たりが発生したことを知らせるようにしてもよい。フィギャア５２と回転ローラ５３は、一体であってもよいし、別体で構成されていてもよい。
【００４１】
また、フィギャア５２と回転ローラ５３は、一体に形成されて回転ローラ５３の外周に形成してある螺旋溝５３ａを転げ落ちる遊技球の落下を利用して回転するようになっていてもよい。したがって、フィギャア５２と回転ローラ５３は、モータで必ずしも回転するようになっている必要がない。また、フィギャア５２のみモータで回転して、回転ローラ５３は、螺旋溝５３ａを転げ落ちる遊技球の落下を利用して回転するようになっていてもよい。
【００４２】
なお、アタッカ１７は、図柄表示装置４７の上方に配設され、落下案内通路５１は、図１、図２において、図柄表示装置４７の右脇に配設されている。このため、落下案内通路５１を長くして、遊技球の落下距離を長くすることができ、遊技を楽しむ興趣性を高めることができる。
【００４３】
以上説明した、落下案内通路５１における前面板５１ａは、落下案内通路５１内が見えるように透明部材が使用されている。この透明部材として、例えばガラス材、アクリル系樹脂、ポリカーボネート系樹脂等がある。なお、透明部材の透明状態は、落下案内通路５１内の遊技球Ｂａ、フィギャア５２、回転ローラ５３を完全に透過した状態で視認し得ることのみを意味する概念ではなく、遊技球Ｂａの存在等が分かる程度の所謂半透明の状態をも含む概念である。また、本実施形態の落下案内通路５１は、角筒状に形成されていてもよい。落下案内通路５１の断面形状は、限定されない。
【００４４】
このように、落下案内通路５１の前面板５１ａが、落下案内通路５１内を転がり落ちる（転動落下する）遊技球Ｂａの様子と、フィギャア５２と回転ローラ５３の回転している様子と、回転ローラ５３の螺旋溝５３ａを転動落下する遊技球Ｂａの様子とが外部から見えるようになっていると、遊技を楽しむ興趣性を高めることができる。
【００４５】
次に、パチンコ機１の制御系を図４に基づいて説明する。すなわち、本制御系は、主基板４１と、この主基板４１に接続されたサブ基板４２とを備えている。
【００４６】
主基板４１は、パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えて、本パチンコ機１の動作全体を統括的に管理するようになっている。
【００４７】
主基板４１は、入賞判定部３１、入賞信号出力部３２、第１抽選部３３、第２抽選部３４、遊技制御部３５、作動制御部３７、作動判定部３８、及び作動決定部３９を備えている。また、主基板４１には、始動チャッカ開閉ソレノイド４５、アタッカ開閉ソレノイド５４、及び遊技体回転モータ５５が接続されている。
【００４８】
入賞判定部３１は、発射ハンドル９の操作で作動する不図示の発射装置によって遊技盤面７ａに打ち出された遊技球が始動チャッカ１６、入賞口２９，３０、アタッカ１７のいずれかに入賞したとき、当該入賞があった旨を判定するようになっている。アタッカ１７への遊技球の入賞は、アタッカ入賞検知センサ５７によって検知されることになっている。
【００４９】
入賞信号出力部３２は、入賞判定部３１によって入賞が判定されたとき、対応する始動チャッカ１６、入賞口２９，３０、アタッカ１７に入賞した旨の入賞信号を出力するようになっている。
【００５０】
第１抽選部（抽選手段）３３は、入賞信号出力部３２からの入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちのいずれか一方に当選するように、不図示の抽選用メモリから当たり当選乱数値を取得して、大当たり抽選を実行するようになっている。
【００５１】
第２抽選部３４は、第１抽選部３３での大当たり抽選で確変当たりに当選した場合、不図示の演出用メモリに格納された演出乱数値に基づく抽選で、変動の結果、確変当たりに対応する「１１１」、「３３３」や「７７７」等の図柄が大当たり有効ライン上で最終的に揃う旨の変動パターンを決定し、その旨の変動パターンコマンドを出力するようになっている。なお、上記「大当たり有効ライン」は、大当たりを得るため図柄が一列に並ぶべき位置（ライン）のことを言う。
【００５２】
また、第２抽選部３４は、第１抽選部３３での大当たり抽選で通常当たりが当選した場合、演出乱数値に基づく抽選で、変動の結果、通常当たりに対応する「２２２」、「４４４」や「８８８」等の図柄が大当たり有効ライン上で最終的に揃う旨の変動パターンを決定し、この変動パターンコマンドを出力するようになっている。第２抽選部３４は、第１抽選部３３での大当たり抽選で外れた場合、演出乱数値に基づく抽選で、変動の結果、外れに対応する「２５２」、「４６４」や「８３８」等の図柄が大当たり有効ライン上で最終的に揃う旨の変動パターンを決定し、この変動パターンコマンドを出力するようになっている。
【００５３】
遊技制御部３５は、予め設定された演出データや第２抽選部３４での抽選結果に応じて、図柄表示装置４７に表示すべき演出内容に関する信号を、制御コマンドと共にサブ基板４２の表示制御部４４に送信するようになっている。
【００５４】
作動制御部３７は、作動決定部３９の作動開始決定の信号に基づき、始動チャッカ開閉ソレノイド４５に駆動信号を送って該ソレノイド４５を作動させて始動チャッカ１６を開放又は閉塞動作させるようになっている。さらに、作動制御部（開口指令手段）３７は、アタッカ開閉ソレノイド５４に駆動信号を送って該ソレノイド５４を作動させ、第１抽選部３３での抽選による大当たり発生時にアタッカ１７を開放して所定数入賞が終了する（又は所定時間が経過する）毎に閉塞する動作を所定回数（所定ラウンド）だけ繰り返すように制御するようになっている。また、作動制御部３７は、フィギャア５２と回転ローラ５３を回転させる遊技体回転モータ５５を回転制御するようになっている。なお、本実施形態のパチンコ機は、パチンコ機１に電源を投入したときから、遊技体回転モータ５５が回転するようになっているものとする。しかし、遊技体回転モータ５５は、遊技者が遊技を開始したときから、あるいは、大当たりが発生したときから回転を開始するようになっていてもよい。
【００５５】
作動判定部３８は、始動チャッカ開閉ソレノイド４５、アタッカ開閉ソレノイド５４、及び遊技体回転モータ５５を作動させるための条件を満たすか否かを判定するようになっている。つまり、始動チャッカ開閉ソレノイド４５にあって、始動チャッカ１６の開閉の「条件を満たす」ときとは、主基板４１において第１抽選部３３の大当たり抽選とは別途行われる抽選で当選した場合である。アタッカ開閉ソレノイド５４にあって、アタッカ１７の開放の「条件を満たす」ときとは、所謂リーチ（所謂スーパーリーチ、ノーマルリーチを含む）の状態から３つの同じ図柄が大当たり有効ライン上で揃って大当たりが発生した場合であり、アタッカ１７の閉塞の「条件を満たす」時とは、大当たり発生時における全ての入賞を完了した場合である。
【００５６】
作動決定手段３９は、作動判定手段３８からの判定信号を受けて、始動チャッカ開閉ソレノイド４５、アタッカ開閉ソレノイド５４、及び遊技体回転モータ５５の作動開始をそれぞれに決定するようになっている。
【００５７】
始動チャッカ開閉ソレノイド４５は、作動制御部３７から送信された駆動信号に応答してプランジャ（図示せず）を進退動作させて、始動チャッカ１６を開閉動作させるようになっている。
【００５８】
アタッカ開閉ソレノイド５４は、作動制御部３７から送信された駆動信号に応答してプランジャ（図示せず）を進退動作させて、アタッカ１７を開閉動作させるようになっている。
【００５９】
遊技体回転モータ５５は、作動制御部３７から送信された駆動信号に応答してフィギャア５２と回転ローラ５３を回転させるようになっている。
【００６０】
一方、サブ基板４２は、演出制御部４３及び表示制御部４４を有しており、サブ基板４２には、放音装置８、演出用照明装置２３及び図柄表示装置４７が接続されている。
【００６１】
演出制御部４３は、主基板４１中の上記マイクロプロセッサから供給される信号に従って、放音装置８、演出用照明装置２３を適時駆動して、遊技者の視覚及び聴覚に訴える演出表示を行うようになっている。
【００６２】
表示制御部４４は、遊技制御部３５から送信された演出内容に関する信号に従って図柄表示装置４７を適時駆動し、大当たり抽選の結果等を遊技者の視覚に訴えるように演出表示するようになっている。
【００６３】
放音装置８、演出用照明装置２３及び図柄表示装置４７は、上述したように各制御に応答して音、光等の発生により、通常時の演出や大当たり時における特別な演出等を行うようになっている。
【００６４】
次に、本パチンコ機１の動作を、図１、図２の構成を示す図と、図４の制御ブロック図と、図５の動作説明用のフローチャートとに基づいて説明をする。
【００６５】
パチンコ機１の主電源がオンされると、作動制御部３７が遊技体回転モータ５５を始動させて、フィギャア５２と回転ローラ５３を回転させる。この状態において、本パチンコ機１に対面して着座した遊技者が発射ハンドル９を握り、適宜の角度に回動操作すると（ステップＳ１）、不図示の発射装置の作動によって遊技球が所定の時間間隔で遊技盤面７ａに向けて連続的に発射される。遊技盤７の遊技盤面７ａに打ち出された多数の遊技球は、遊技盤面７ａを転動落下して、始動チャッカ１６、入賞口２９，３０に適時に入賞するか、あるいは、これらに入賞しないで、遊技盤面７ａの最下部のアウト口２２に転がり込み、遊技盤７の背面側に排出される。
【００６６】
そして、遊技球が、始動チャッカ１６や入賞口２９，３０のいずれかに入賞した場合、入賞判定部３１が当該入賞を判定し、かつ入賞信号出力部３２が入賞信号を出力する（ステップＳ２）。
【００６７】
そして、大当たり抽選で当選した場合（ステップＳ３）、第１抽選部３３が当たりフラグをオンすると、第２抽選部３４が、演出用メモリに格納された演出乱数値に基づく抽選で、大当たりの種別、つまり確変当たり又は通常当たりに対応する変動パターンを決定する。
【００６８】
これにより、図柄表示装置４７に表示されるべき当たり図柄がセットされて、第２抽選部３４は、その旨の変動パターンコマンドを出力すると共に、当該変動パターンコマンドに基づく演出表示が終了するまでは次の変動パターンコマンドを送信しないようにするために図柄変動禁止フラグをオンして、当該オンした図柄変動禁止フラグを解除する時間を計測するための図柄変動タイマをセットし、変動パターンコマンドの送信に応じて保留球数を１デクリメントする（ステップＳ４）。一方、大当たり抽選で外れた場合には、演出用メモリに格納された演出乱数値に基づく抽選で、変動の結果、外れに対応する図柄が最終的に揃う旨の変動パターンが決定される。これにより、図柄表示装置４７に表示される外れ図柄がセットされて、第２抽選部３４は、その旨の変動パターンコマンドを出力すると共に、図柄変動禁止フラグをオンし、図柄変動タイマをセットし、変動パターンコマンドの送信に応じて保留球数を１デクリメントする。
【００６９】
以上のようにして、遊技制御部３５が、図柄表示装置４７に表示すべき演出内容に関する信号を制御コマンドと共にサブ基板４２の表示制御部４４に送信することに基づいて、表示制御部４４が、図柄表示装置４７を適時駆動し、大当たり抽選結果に関する内容等を、遊技者の視覚に訴えるように演出表示することとなる（ステップＳ５）。
【００７０】
そして、第１抽選部３３での抽選結果が図柄表示装置４７の画面上に表れると、作動制御部３７が、作動決定部３９の作動開始決定の信号に基づいて、所定のタイミングでアタッカ開閉ソレノイド５４に駆動信号を送って、アタッカ開閉ソレノイド５４を作動させてアタッカ１７を開放し、所定数入賞が終了する（又は所定時間が経過する）毎に閉塞する動作を所定回数（所定ラウンド）だけ繰り返させる。
【００７１】
すなわち、アタッカ１７は、図３（ｃ）に実線で示すように、蓋１７ｂが閉じられているとき、遊技盤７の遊技盤面７ａから半分ほど突出して、遊技球の通過に支障に与えないようになっている。作動制御部３７の駆動信号（開口指令）に基づいて、アタッカ開閉ソレノイド５４が作動すると、連結リンク６４が実線の位置から２点鎖線の位置に回動して、蓋１７ｂが２点鎖線で示すように退避空間６８内に退避し、箱１７ａが２点鎖線で示すように遊技盤面７ａから全体が突出する。この結果、箱１７ａ（大入賞口１７ｃ）は、開放されて、遊技球が進入しやすくなる。
【００７２】
アタッカ１７の箱１７ａに入賞した遊技球は、排出口１７ｄから落下案内通路５１内を転動落下する。遊技球は、落下案内通路５１内を転動落下する途中で、回転しているフィギュヤ５３に当接して飛散させられる。そして、遊技球は、回転している回転ローラ５３の螺旋溝５３ａに案内されながら落下していく。これにより、アタッカ１７に入賞した遊技球に対応する多量の遊技球が球供給口１８から上皿１３に払い出されることとなる（ステップＳ６）。
【００７３】
以上、説明したアタッカ１７は、通常、図３（ｃ）に実線で示すように、遊技盤７の遊技盤面７ａから半分ほど突出しており、大当たり発生時に、蓋１７ｂが２点鎖線で示すように退避空間６８内に退避し、箱１７ａが２点鎖線で示すように遊技盤面７ａから全体が突出するようになっているが、通常、全体が退避空間６８内に退避しており、大当たり発生時に蓋１７ｂは移動しないで、箱１７ａのみ遊技盤面７ａから突出して、箱１７ａ（大入賞口１７ｃ）を開放するようにしてもよい。この場合、アタッカ開閉ソレノイド５４は、箱１７ａのみを移動させるようになっている。あるいは、アタッカ１７は、逆に、通常、全体が遊技盤面７ａから突出しており、大当たり発生時に蓋１７ｂのみ退避空間６８内に進入して箱１７ａ（大入賞口１７ｃ）を開放するようになっていてもよい。この場合、アタッカ開閉ソレノイド５４は、蓋１７ｂのみを移動させるようになっている。
【００７４】
また、アタッカは、図６に示すアタッカ（大入賞部）１１７のように、蓋（上部体）１１７ｂが箱（下部体）１１７ａの後方下に回動するようにして、箱１１７ａを開閉するようになっていてもよい。箱１１７ａには、大入賞口１１７ｃと、排出口１１７ｄとが形成されている。
【００７５】
さらに、図３、図６に示すアタッカ１７，１１７は、ドル箱の開口機能付フィギュアであるが、図７に示すアタッカ（大入賞部）２１７のように、千両箱の開口機能付フィギュアであってもよく、形状は、ドル箱に限定されるものではない。千両箱の開口機能付きフィギュアの場合も、蓋（上部体）２１７ｂと箱（大入賞口、下部体）２１７ａとの少なくとも一方が前後動して、箱２１７ａを開閉するようになっている。箱２１７ａには、不図示の大入賞口と、排出口とが形成されている。
【００７６】
これらのアタッカ１７，１１７，２１７は、遊技盤１７の遊技面１７ａの上部に設けられるようになっているが、始動チャッカ１６の下方に設けられていた従来のアタッカの代わりに設けてもよく、設置場所は、遊技盤面１７ａの上部に限定されるものではない。
【００７７】
アタッカには、図２、図３、図６、図７に示すアタッカ１７，１１７，２１７の他に、図８、図９に示すような開口機能付フィギュアのアタッカ（大入賞部）３１７，４１７もある。
【００７８】
図８に示す、アタッカ３１７は、上顎（上部体）３１７ｂと、上顎３１７ｂの下に配置された下顎（下部体）３１７ａとに分割形成され、作動制御部３７（図４参照）の開口指令に応じて、開閉機構３６１が下顎３１７ａを退避空間３６８から遊技盤面の前方（遊技者の手前側）（図８（ｃ））に突出させ、かつ下方に移動させることによって、上顎３１７ｂと下顎３１７ａとの間に大入賞口３１７ｃを形成するようになっている。
【００７９】
開閉機構３６１は、下顎３１７ａに連結されたアタッカ開閉ソレノイド５４と、下顎３１７ａを支持するローラ３６７と、下顎３１７ａを退避空間３６８内に引き込む引張ばね
３６９などで構成されている。
【００８０】
作動制御部３７から送信された駆動信号に応答してアタッカ開閉ソレノイド５４は、プランジャ５４ａを突出させて、下顎３１７ａをローラ３６７上を移動させて上顎３１７ｂから突出させる。下顎３１７ａは、突出することによって、下顎３１７ａのカム１７ｅの形状に応じてローラ３６７を中心にして自重によって先端側が下がり、大入賞口３１７ｃを開く。突出した下顎３１７ａは、遊技球Ｂａを受け止めて、大入賞口３１７ｃ内に案内する。大入賞口３１７ｃに入賞した遊技球Ｂａは、落下案内通路５１内を落下していく。
【００８１】
図９に示す、アタッカ４１７は、上歯（上部体）４１７ｂと、上歯４１７ｂの下に配置された下歯（下部体）４１７ａとに分割形成されている。上歯４１７ｂと下歯４１７ａとは、アタッカ４１７の本体４１７ｆに上下動自在に設けられている。アタッカ４１７は、作動制御部３７（図４参照）の開口指令に応じて、開閉機構４６１によって退避空間４６８から遊技盤面７ａの前面に本体４１７ｆが突出されて、上歯４１７ｂが上方に、下歯４１７ａが下方にそれぞれ移動して大入賞口４１７ｃを形成するようになっている。
【００８２】
開閉機構４６１は、本体４１７ｆと一体の連結部材４７１と、上歯４１７ｂと下歯４１７ａとを互いに接近させる方向に牽引する引張ばね４７２と、遊技盤７と上歯４１７ｂとを連結する上部ワイヤ４７３と、遊技盤７と下歯４１７ａとを連結する下部ワイヤ４７４と、連結部材４１７を介して本体４１７ｆを前後動させるアタッカ開閉ソレノイド５４（図４参照）などを備えている。
【００８３】
作動制御部３７から送信された駆動信号に応答してアタッカ開閉ソレノイド５４（図４参照）は、不図示のプランジャを突出させて、連結部材４７１を介して本体４１７ｆを遊技盤面７ａの前面に突出させる。このとき、上歯４１７ｂと下歯４１７ａとが、引張ばね４７２に抗して、長さの変わらない上部ワイヤ４７３と下部ワイヤ４７４とに引っ張られて上下方向に移動して、大入賞口４１７ｃを開く。大入賞口４１７ｃに入賞した遊技球Ｂａは、落下案内通路５１内を落下していく。
【００８４】
なお、以上のアタッカ４１７は、本体４１７ｆが退避空間４６８から遊技盤面７ａの前方へ突出するようになっているが、最初から突出していて上、下歯４１７ｂ，４１７ａが開くようにしてもよい。さらに、上、下歯４１７ｂ，４１７ａは、少なくとも一方が上下動して大入賞口４１７ｃを開くようにしてもよい。
【００８５】
なお、以上説明した、図８、図９に示すアタッカ３１７，４１７は、横方向から転動してくる遊技球が入賞し易い形状の開口機能付フィギュアであるので、図１に示す遊技盤１７の遊技面１７ａの上部に設けられたアタッカ１７の代わりに設けた場合、遊技者がアタッカ３１７，４１７に遊技球が入賞し易くなり、遊技性を高めることができる。
【００８６】
図１０に示すアタッカ５１７は、遊技盤７の遊技盤面７ａの左右方向に１対に分割形成された左開閉部材（左部体）５１７ａ及び右開閉部材（右部体）５１７ｂを有し、作動制御部３７（図４参照）の開口指令に応じて、開閉機構５６１によって、左開閉部体５１７ａと右開閉部材５１７ｂとの両方が左右方向に回転して、大入賞口５１７ｃを開口するようになっている。左開閉部材５１７ａと右開閉部材５１７ｂとの対向面５１７ａａ，５１７ｂａは、左開閉部材５１７ａと右開閉部材５１７ｂとが開いたとき、遊技球Ｂａを受け止めて大入賞口５１７ｃに案内する案内面になっている。また、左開閉部材５１７ａと右開閉部材５１７ｂとの手前側に板状の装飾板５１７ｈが設けられている。遊技盤面７ａと装飾板５１７ｈとの間には、遊技球が転動することができるだけの空間が確保されている。
【００８７】
開閉機構５６１は、左開閉部材５１７ａの回転軸５１７ａｂと一体の左歯車５８１と、右開閉部材５１７ｂの回転軸５１７ｂｂと一体の右歯車５８２と、左、右歯車５８１，５８２の一方の歯車を回転させるアタッカ開閉ソレノイド５４などを備えている。左、右歯車５８１，５８２は、互いに噛合している。なお、アタッカ開閉ソレノイド５４の代わりにパルスモータを使用してもよい。
【００８８】
作動制御部３７から送信された駆動信号に応答してアタッカ開閉ソレノイド５４は、不図示のプランジャを突出させて、左右歯車５８１，５８２の一方の歯車を回転させる。左、右歯車５８１，５８２は、互いに逆回転して左、右開閉部材５１７ａ，５１７ｂを互いに離れる方向に回転して大入賞口５１７ｃを開く。遊技球Ｂａは、対向面５１７ａａ，５１７ｂａに案内されて大入賞口５１７ｃに入賞する。大入賞口５１７ｃに入賞した遊技球は、落下案内通路５１内を落下していく。
【００８９】
これらのアタッカ１７，１１７，２１７，３１７，４１７，５１７は、遊技盤１７の遊技盤面７ａの上部に設けられるようになっているが、従来、始動チャッカ１６の下方に設けられていたアタッカの代わりに設けてもよく、設置場所は、遊技盤面７ａの上部に限定されるものではない。
【００９０】
以上、説明したように、本パチンコ機１は、アタッカ１７，１１７，２１７，３１７，４１７，５１７が開口機能付フィギュアであるので、遊技を楽しむ興趣性を高めることができる。
【００９１】
また、アタッカ１７，１１７，２１７，３１７，４１７，５１７を、遊技盤７の遊技盤面７ａの上部に設けてあると、アタッカ１７，１１７，２１７，３１７，４１７，５１７を狙い打ちし易くなって、遊技性を高めることができる。
【００９２】
さらに、アタッカ１７，１１７，２１７，３１７，４１７，５１７が、キャラクタの形状をしているので、遊技性を高めることができる。
【００９３】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれるものとする。
【図面の簡単な説明】
【００９４】
【図１】本発明の実施形態の遊技機におけるパチンコ機の概略正面図である。
【図２】図１に示すパチンコ機の遊技盤の部分拡大正面図である。
【図３】大入賞部の図である。（ａ）蓋を閉じた大入賞部の外観斜視図である。（ｂ）蓋が開いた大入賞部の外観斜視図である。（ｃ）大入賞部の開閉機構の図である。
【図４】図１に示すパチンコ機の制御系を示すブロック図である。
【図５】図１に示すパチンコ機の動作を説明するためのフローチャートである。
【図６】図３に示す大入賞部とは開閉動作の異なる大入賞部の外観斜視図である。
【図７】図３に示す大入賞部とは形状の異なる大入賞部の外観斜視図である。
【図８】図３に示す大入賞部とは形状の異なる大入賞部の図である。（ａ）は、大入賞口を閉じた大入賞部の正面図である。（ｂ）は、大入賞口を開いた大入賞部の正面図である。（ｃ）大入賞口の開閉機構を示す側面図である。
【図９】図３に示す大入賞部とは形状の異なる大入賞部の図である。（ａ）は、大入賞口を閉じた大入賞部の正面図である。（ｂ）は、大入賞口を開いた大入賞部の正面図である。（ｃ）大入賞口の開閉機構を示す側面図である。
【図１０】図３に示す大入賞部とは形状の異なる大入賞部の図である。（ａ）は、大入賞口を閉じた大入賞部の正面図である。（ｂ）は、大入賞口を閉じた大入賞部の正面図である。（ｃ）大入賞口の開閉動作を示す正面図である。
【符号の説明】
【００９５】
Ｂａ    遊技球
１      パチンコ機（遊技機）
１Ａ    パチンコ機本体
７      遊技盤
７ａ    遊技盤面
１６      始動チャッカ（始動口）
１７      アタッカ（大入賞部、開口機能付フィギュア）
１７ａ    箱（下部体）
１７ｂ    蓋（上部体）
１７ｃ    大入賞口
１７ｄ    排出口
３３      第１抽選部（抽選手段）
３４      第２抽選部
３７      作動制御部（開口指令手段）
６１      開閉機構
６８      退避空間
１１７      アタッカ（大入賞部、開口機能付フィギュア）
１１７ａ    箱（下部体）
１１７ｂ    蓋（上部体）
１１７ｃ    大入賞口
１１７ｄ    排出口
２１７      アタッカ（大入賞部、開口機能付フィギュア）
２１７ａ    箱（下部体）
２１７ｂ    蓋（上部体）
２１７ｄ    排出口
３１７      アタッカ（大入賞部、開口機能付フィギュア）
３１７ａ    下顎（下部体）
３１７ｂ    上顎（上部体）
３１７ｃ    大入賞口
３６１      開閉機構
４１７      アタッカ（大入賞部、開口機能付フィギュア）
４１７ａ    下歯（下部体）
４１７ｂ    上歯（上部体）
４１７ｃ    大入賞口
４６１      開閉機構
４６８      退避空間
５１７      アタッカ（大入賞部、開口機能付フィギュア）
５１７ａ    左開閉部材（左部体）
５１７ｂ    右開閉部材（右部体）
５１７ｃ    大入賞口
５６１      開閉機構
５８２      右歯車
【図１】
2006296594.tif 000003
【図２】
2006296594.tif 000004
【図３】
2006296594.tif 000005
【図４】
2006296594.tif 000006
【図５】
2006296594.tif 000007
【図６】
2006296594.tif 000008
【図７】
2006296594.tif 000009
【図８】
2006296594.tif 000010
【図９】
2006296594.tif 000011
【図１０】
2006296594.tif 000012